(57)【要約】【課題】認証対象に応じた適切な情報処理を行うことができるようにする。【解決手段】本発明の情報処理装置は、入力操作部と、認証対象の認証情報に基づいて、認証対象の認証を行い、認証対象が携帯端末であるか否かを判断する認証部と、認証部によって認証対象が携帯端末であると判断された場合に、入力操作部を介して入力された入力情報に基づく情報を認証対象に登録させる制御部とを備える。【選択図】図１
2018207211.tif 000002
【特許請求の範囲】
【請求項１】
入力操作部と、
認証対象の認証情報に基づいて、前記認証対象の認証を行い、前記認証対象が携帯端末であるか否かを判断する認証部と、
前記認証部によって前記認証対象が前記携帯端末であると判断された場合に、前記入力操作部を介して入力された入力情報に基づく情報を前記認証対象に登録させる制御部と
を備える
情報処理装置。
【請求項２】
前記制御部は、前記認証部によって前記認証対象が前記携帯端末であると判断された場合に、前記入力情報に基づく情報を前記認証対象に対して登録させるか否かを選択可能にする
請求項１に記載の情報処理装置。
【請求項３】
前記制御部は、前記携帯端末から送信された情報に基づいて、前記入力情報に基づく情報を前記認証対象に対して登録させるか否かを判断する
請求項２に記載の情報処理装置。
【請求項４】
前記認証対象に登録させることが選択された場合に、前記入力情報に基づく情報を前記認証対象に送信する入力情報送信部、
をさらに備える
請求項２または３に記載の情報処理装置。
【請求項５】
前記入力情報送信部は、前記認証部によって前記認証対象が前記携帯端末であると判断された場合に、前記携帯端末に、前記入力情報に基づく情報を送信する
請求項４に記載の情報処理装置。
【請求項６】
前記認証部の判断結果に応じて、前記入力情報に基づく情報を記憶する情報記憶部、
をさらに備える
請求項１ないし５のいずれか１つに記載の情報処理装置。
【請求項７】
前記入力情報に基づく情報は、前記認証部によって認証された後に設定された複数の設定情報を含む。
請求項１ないし６のいずれか１つに記載の情報処理装置。
【請求項８】
前記認証部は、モバイル固有情報により認証が行われた場合に前記認証対象が前記携帯端末であると判断する
請求項１ないし７のいずれか１つに記載の情報処理装置。
【請求項９】
前記認証部は、ＮＦＣ通信による情報により認証が行われた場合に前記認証対象が前記携帯端末であると判断する
請求項１ないし７のいずれか１つに記載の情報処理装置。
【請求項１０】
携帯端末と情報処理装置とを含み、
前記情報処理装置は、
入力操作部と、
認証対象の認証情報に基づいて、前記認証対象の認証を行い、前記認証対象が前記携帯端末であるか否かを判断する認証部と、
前記認証部によって前記認証対象が前記携帯端末であると判断された場合に、前記入力操作部を介して入力された入力情報に基づく情報を前記認証対象に登録させる制御部と
を備える
情報処理システム。
【請求項１１】
前記制御部は、前記認証部によって前記認証対象が前記携帯端末であると判断された場合に、前記入力情報に基づく情報を前記認証対象に対して登録させるか否かを選択可能にする
請求項１０に記載の情報処理システム。
【請求項１２】
前記制御部は、前記携帯端末から送信された情報に基づいて、前記入力情報に基づく情報を前記認証対象に対して登録させるか否かを判断する
請求項１１に記載の情報処理システム。
【請求項１３】
前記情報処理装置は、
前記認証対象に登録させることが選択された場合に、前記入力情報に基づく情報を前記認証対象に送信する入力情報送信部、をさらに備え、
前記携帯端末は、
前記入力情報送信部から送信された前記情報を登録情報として登録する情報登録部、を備える
請求項１１または１２に記載の情報処理システム。
【請求項１４】
前記入力情報に基づく情報は、前記認証部によって認証された後に設定された前記情報処理装置に対する複数の設定情報を含み、
前記携帯端末は、
前記情報登録部によって登録された前記登録情報を前記情報処理装置に送信する登録情報送信部、をさらに備え、
前記情報処理装置は、
前記登録情報送信部から送信された前記登録情報を受信する登録情報受信部と、
前記登録情報受信部で受信された前記登録情報に基づいて、前記設定情報を適応する設定適応部と、
をさらに備える
請求項１３に記載の情報処理システム。
【請求項１５】
前記携帯端末は、
前記情報登録部によって登録された前記登録情報に含まれる前記複数の設定情報を編集する登録情報編集部、をさらに備え、
前記登録情報送信部は、
前記情報登録部によって編集された後の前記登録情報を前記情報処理装置に送信する
請求項１４に記載の情報処理システム。
【請求項１６】
前記認証部は、モバイル固有情報により認証が行われた場合に前記認証対象が前記携帯端末であると判断する
請求項１０ないし１５のいずれか１つに記載の情報処理システム。
【請求項１７】
前記認証部は、ＮＦＣ通信による情報により認証が行われた場合に前記認証対象が前記携帯端末であると判断する
請求項１０ないし１５のいずれか１つに記載の情報処理システム。
【発明の詳細な説明】
【技術分野】
【０００１】
本発明は、認証処理を行う機能を有する情報処理装置装置、および情報処理システムに関する。
【背景技術】
【０００２】
複合機（ＭＦＰ）等の情報処理装置には、ＩＣカード（Integrated Circuit）や携帯端末等に対する認証機能を備えたものがある。
【先行技術文献】
【特許文献】
【０００３】
【特許文献１】特開２００９−１８７０９８号公報
【発明の概要】
【発明が解決しようとする課題】
【０００４】
上記のような情報処理装置では、認証対象が何であるかに応じて、情報処理装置と認証対象との間での情報処理の内容が変化するが、その変化に十分に対応できていない。
【０００５】
認証対象に応じた適切な情報処理を行うことができるようにした情報処理装置、および情報処理システムを提供することが望ましい。
【課題を解決するための手段】
【０００６】
本発明の一実施の形態に係る情報処理装置は、入力操作部と、認証対象の認証情報に基づいて、認証対象の認証を行い、認証対象が携帯端末であるか否かを判断する認証部と、認証部によって認証対象が携帯端末であると判断された場合に、入力操作部を介して入力された入力情報に基づく情報を認証対象に登録させる制御部とを備えたものである。
【０００７】
本発明の一実施の形態に係る情報処理システムは、携帯端末と情報処理装置とを含み、情報処理装置が、入力操作部と、認証対象の認証情報に基づいて、認証対象の認証を行い、認証対象が携帯端末であるか否かを判断する認証部と、認証部によって認証対象が携帯端末であると判断された場合に、入力操作部を介して入力された入力情報に基づく情報を認証対象に登録させる制御部とを備えたものである。
【発明の効果】
【０００８】
本発明の一実施の形態に係る情報処理装置または情報処理システムによれば、情報処理装置が、認証対象が携帯端末であるか否かを判断する認証部と、認証部によって認証対象が携帯端末であると判断された場合に、入力操作部を介して入力された入力情報に基づく情報を認証対象に登録させる制御部とを備えるようにしたので、認証対象に応じた適切な情報処理を行うことができる。
【図面の簡単な説明】
【０００９】
【図１】本発明の第１の実施の形態に係る情報処理システムの概略を示す構成図である。
【図２】複合機の操作パネルの一例を示す構成図である。
【図３】モバイル端末に表示されるマクロアプリの初期画面の一例を示す説明図である。
【図４】モバイル端末に表示されるマクロ登録時の画面の一例を示す説明図である。
【図５】モバイル端末に表示されるマクロ登録時の画面の一例を示す説明図である。
【図６】モバイル端末に表示されるマクロ実行時の画面の一例を示す説明図である。
【図７】モバイル端末に表示されるマクロ実行時の画面の一例を示す説明図である。
【図８】モバイル端末に表示されるマクロ自動実行時の画面の一例を示す説明図である。
【図９】モバイル端末に表示されるマクロ編集実行時の画面の一例を示す説明図である。
【図１０】マクロデータの一例を示す説明図である。
【図１１】マクロ実行データの一例を示す説明図である。
【図１２】マクロ自動実行データの一例を示す説明図である。
【図１３】モバイル端末の認証が行われた後に表示される複合機の操作パネルの表示例を示す構成図である。
【図１４】モバイル端末の認証が行われた後にモバイル端末に表示されるマクロ登録時の画面の一例を示す説明図である。
【図１５Ａ】マクロ登録の動作の第１の例を示す流れ図である。
【図１５Ｂ】図１５Ａから続く動作の一例を示す流れ図である。
【図１６Ａ】マクロ登録の動作の第２の例を示す流れ図である。
【図１６Ｂ】図１６Ａから続く動作の一例を示す流れ図である。
【図１７】図１６Ｂから続く動作の一例を示す流れ図である。
【図１８Ａ】マクロ実行の動作の一例を示す流れ図である。
【図１８Ｂ】図１８Ａから続く動作の一例を示す流れ図である。
【図１９Ａ】マクロ自動実行の動作の一例を示す流れ図である。
【図１９Ｂ】図１９Ａから続く動作の一例を示す流れ図である。
【発明を実施するための形態】
【００１０】
以下、本発明の実施の形態について図面を参照して詳細に説明する。なお、説明は以下の順序で行う。
１．第１の実施の形態
１．０  概要
１．１  構成
１．２  動作
１．３  効果
２．その他の実施の形態
【００１１】
＜１．第１の実施の形態＞
［１．０  概要］
本発明の一実施の形態に係る情報処理装置は、入力操作部と、認証対象の認証情報に基づいて、認証対象の認証を行い、認証対象が携帯端末であるか否かを判断する認証部と、認証部によって認証対象が携帯端末であると判断された場合に、入力操作部を介して入力された入力情報に基づく情報を認証対象に登録させる制御部とを備える。
【００１２】
ここで、情報処理装置は、例えば後述する図１の複合機１０１によって具体化され得る。携帯端末は、例えば後述する図１のモバイル端末１０３によって具体化され得る。入力操作部は、例えば後述する図１３の操作パネル２０１によって具体化され得る。認証部は、例えば後述する図１のモバイル認証制御部１２２によって具体化され得る。入力操作部を介して入力された入力情報に基づく情報は、例えば後述する図１０のマクロデータに相当するが、マクロデータに限らず、ＦＡＸ送信の宛先情報等であってもよい。制御部は、例えば後述する図１の操作パネル制御部１０８によって具体化され得る。また本発明の一実施の形態に係る情報処理装置の動作は、例えば後述する図１６Ａ、図１６Ｂ、図１７の動作フローによって具体化され得る。
【００１３】
本発明の一実施の形態に係る情報処理装置において、制御部は、認証部によって認証対象が携帯端末であると判断された場合に、入力情報に基づく情報を認証対象に対して登録させるか否かを選択可能にするようにしてもよい。例えば後述する図１３、および図１４に示すように選択可能としてもよい。また、例えば後述する図１６ＢのステップＳ７０３、またはステップＳ８１１に示すように選択可能としてもよい。
【００１４】
本発明の一実施の形態に係る情報処理装置において、制御部は、携帯端末から送信された情報に基づいて、入力情報に基づく情報を認証対象に対して登録させるか否かを判断するようにしてもよい。例えば後述する図１６ＢのステップＳ７０４、およびステップＳ８１２に示すように判断してもよい。
【００１５】
本発明の一実施の形態に係る情報処理装置は、認証対象に登録させることが選択された場合に、入力情報に基づく情報を認証対象に送信する入力情報送信部をさらに備えていてもよい。ここで、入力情報送信部は、例えば後述する図１のマクロデータ生成部１０９、および近距離無線通信制御部１０４によって具体化され得る。
【００１６】
情報処理装置において、入力情報送信部は、認証部によって認証対象が携帯端末であると判断された場合に、携帯端末に、入力情報に基づく情報を送信するようにしてもよい。
【００１７】
本発明の一実施の形態に係る情報処理装置は、認証部の判断結果に応じて、入力情報に基づく情報を記憶する情報記憶部をさらに備えていてもよい。情報記憶部は、例えば後述する図１のテンポラリ設定値格納部１１４によって具体化され得る。
【００１８】
入力情報に基づく情報は、認証部によって認証された後に設定された複数の設定情報を含んでいてもよい。例えば後述する図１０のマクロデータのように、一連の操作設定の情報を含んでいてもよい。
【００１９】
本発明の一実施の形態に係る情報処理システムは、上記本発明の一実施の形態に係る情報処理装置と、携帯端末と情報処理装置とを含むシステムであってもよい。本発明の一実施の形態に係る情報処理システムの動作は、例えば後述する図１６Ａ、図１６Ｂ、図１７の動作フローによって具体化され得る。
【００２０】
本発明の一実施の形態に係る情報処理システムにおいて、携帯端末は、情報処理装置の入力情報送信部から送信された情報を登録情報として登録する情報登録部、を備えていてもよい。ここで、登録情報は、例えば後述する図１０のマクロデータに相当するが、マクロデータに限らず、ＦＡＸ送信の宛先情報等であってもよい。情報登録部は、例えば後述する図１０のマクロ登録部１１８およびマクロデータ格納部１２１によって具体化され得る。
【００２１】
本発明の一実施の形態に係る情報処理システムにおいて、入力情報に基づく情報は、認証部によって認証された後に設定された情報処理装置に対する複数の設定情報を含んでいてもよい。例えば後述する図１０のマクロデータのように、一連の操作設定の情報を含んでいてもよい。
【００２２】
本発明の一実施の形態に係る情報処理システムにおいて、携帯端末は、情報登録部によって登録された登録情報を情報処理装置に送信する登録情報送信部をさらに備え、情報処理装置は、登録情報送信部から送信された登録情報を受信する登録情報受信部と、登録情報受信部で受信された登録情報に基づいて、設定情報を適応する設定適応部とをさらに備えていてもよい。
【００２３】
ここで、登録情報送信部は、例えば後述する図１のマクロ実行データ送信部１１９およびマクロ自動実行データ送信部１２０によって具体化され得る。登録情報受信部は、例えば後述する図１の近距離無線通信制御部１０４およびマクロ実行制御部１０６によって具体化され得る。設定適応部は、例えば後述する図１のマクロ実行制御部１０６およびマクロ実行制御部１０６によって具体化され得る。
【００２４】
本発明の一実施の形態に係る情報処理システムにおいて、携帯端末が、情報登録部によって登録された登録情報に含まれる複数の設定情報を編集する登録情報編集部をさらに備え、登録情報送信部が、情報登録部によって編集された後の登録情報を情報処理装置に送信するように構成されてもよい。ここで、登録情報編集部は、例えば後述する図１のマクロアプリ制御部１１７によって具体化され得る。
【００２５】
［１．１  構成］
【００２６】
図１は、本発明の第１の実施の形態に係る情報処理システムの概略構成を示している。
【００２７】
本実施の形態に係る情報処理システムは、情報処理装置としての複合機１０１と携帯端末としてのモバイル端末１０３とを、近距離無線ネットワーク１０２によって接続が可能なように構成したシステムである。
【００２８】
本実施の形態に係る情報処理システムは、複合機１０１とモバイル端末１０３とが連携し、複合機１０１の操作パネルの操作のマクロをモバイル端末１０３側で管理、利用することを特徴としている。
【００２９】
従来の印刷装置や複合機では、複数ある設定項目に対する一連の設定変更を一つのマクロとして装置に登録し、後からそのマクロを呼び出して効率的に設定変更を再実行する仕組みが考案されている。しかしながら、マクロを装置に登録するため、マクロはその装置だけでしか使うことができなかった。つまり、その他の場所のその他の装置で使い回しできないと言う問題があった。
【００３０】
本実施の形態に係る情報処理システムでは、複合機１０１とモバイル端末１０３とが連動しながら、複合機１０１のマクロをモバイル端末１０３側に保存し、モバイル端末１０３側から複合機１０１側にマクロを送信する。
【００３１】
以下では、具体的な実施例としては、ＭＦＰ機能としてコピー機能、スキャン機能、ＦＡＸ機能、印刷機能を有する複合機１０１の操作パネル、および、モバイル端末１０３上のマクロアプリが連動する構成に適用した事例として説明する。
【００３２】
なお、本実施の形態におけるマクロとは、複合機１０１の操作パネルの一連の設定変更を、一括して扱えるように一つに纏めたデータのことである。
【００３３】
（複合機１０１の構成）
複合機１０１は、内部構成として、近距離無線通信制御部１０４、ジョブ制御部１０５、操作パネル制御部１０８、スキャン制御部１１０、印刷制御部１１１、ＦＡＸ制御部１１２、設定値管理部１１３、およびモバイル認証制御部１２２を有している。
【００３４】
さらに、ジョブ制御部１０５は、内部構成としてマクロ実行制御部１０６、マクロ白動実行制御部１０７を備えている。
【００３５】
さらに、設定値管理部１１３は、内部構成としてテンポラリ設定値格納部１１４、および初期値格納部１１５を備えている。
【００３６】
近距離無線通信制御部１０４は、近距離無線ネットワーク１０２を通じて、モバイル端末１０３とデータ通信する制御部である。
【００３７】
ジョブ制御部１０５は、外部からの印刷データの受信による動作指示や操作パネル２０１（図２、図１３）からの機能実行指示を一つのジョブ単位として扱い、複合機１０１の各制御部を連動させながらジョブを実行する制御部である。
【００３８】
マクロ実行制御部１０６は、モバイル端末１０３側から受信したマクロ実行データに基づいて、マクロ実行を行う制御部である。
【００３９】
なお、本実施例におけるマクロ実行とは、マクロ実行データに基づいて、ＳＴＡＲＴボタン２０５を押す直前までの操作パネル２０１（図２、図１３）の動作モード変更と設定値変更を行うことを意味する。図１１にマクロ実行データの例を示す。マクロ実行の詳細については後述のマクロ実行の動作フローにおいて説明する。
【００４０】
マクロ自動実行制御部１０７は、モバイル端末１０３側から受信したマクロ自動実行データに基づいて、マクロ自動実行を行う制御部である。
【００４１】
なお、本実施例におけるマクロ自動実行とは、マクロ白動実行データに基づいて、操作パネル２０１（図２、図１３）の動作モード変更と設定値変更し、ＳＴＡＲＴボタン２０５を自動的に押下して機能を実行することを意味する。図１２にマクロ自動実行データの例を示す。マクロ自動実行の詳細については後述のマクロ自動実行の動作フローにおいて説明する。
【００４２】
操作パネル制御部１０８は、複合機１０１が搭載している操作パネル２０１（図２、図１３）のボタン制御、タッチパネル式液晶ディスプレイ２１２の画面制御、モバイル端末１０３を非接触で検出する制御を行う制御部である。具体的な説明は、図２に基づいて後ほど説明する。
【００４３】
スキャン制御部１１０は、複合機１０１が搭載しているスキャンユニットを制御してスキャン画像を読み取る制御部である。
【００４４】
印刷制御部１１１は、複合機１０１が搭載している印刷機構を制御して印刷を行う制御部である。
【００４５】
ＦＡＸ制御部１１２は、複合機１０１が搭載しているＦＡＸ送受信モジュールを制御してＦＡＸ通信を実行する制御部である。
【００４６】
設定値管理部１１３は、複合機１０１の設定項目を管理する制御部である。設定項日には、コピー、スキャン、印刷、ＦＡＸの各機能に対応する複数の設定項目がある。また、装置共通の設定項目がある。
【００４７】
テンポラリ設定値格納部１１４は、ユーザが操作パネル２０１（図２、図１３）の画面上で一時的に設定変更した設定変更を、揮発性メモリ上に保持するデータ格納部である。
【００４８】
初期値格納部１１５は、ユーザが操作パネル２０１（図２、図１３）の画面上で設定変更する前の初期値を、不揮発性メモリ上に保持するデータ格納部である。
【００４９】
モバイル認証制御部１２２は、モバイル端末１０３の認証を行う認証部である。
【００５０】
（モバイル端末１０３の構成）
次に、モバイル端末１０３の内部モジュールについて説明する。
【００５１】
モバイル端末１０３は、内部構成として、近距離無線通信制御部１１６、マクロアプリ制御部１１７、マクロデータ格納部１２１、およびモバイル認証情報格納部１２３を有している。
【００５２】
また、マクロアプリ制御部１１７は、その内部構成として、マクロ登録部１１８、マクロ実行データ送信部１１９、およびマクロ白動実行データ送信部１２０によって構成されている。
【００５３】
近距離無線通信制御部１１６は、近距離無線ネットワーク１０２を通じて、複合機１０１とデータ通信する制御部である。
【００５４】
マクロアプリ制御部１１７は、複合機１０１側で動作するマクロ管理用のアプリケーションの実行プログラムである。
【００５５】
マクロ登録部１１８は、複合機１０１が生成したマクロデータを受信し、必要に応じてマクロ名を設定してから、マクロデータをマクロデータ格納部１２１に格納する制御部である。図１０にマクロデータの例を示す。マクロ登録の詳細については後述のマクロ登録の動作フローにおいて説明する。
【００５６】
マクロ実行データ送信部１１９は、マクロアプリのマクロ実行機能を制御する制御部である。マクロ実行データ送信部１１９は、マクロデータ格納部１２１に格納されているマクロデータを読み出し、マクロアプリからのユーザの指示に基づいて、マクロデータ中の一部の設定変更項目を一時的に変更・削除を行った上で、さらにマクロデータのヘッダ部とフッタ部をマクロ実行データ形式のヘッダとフッタに置き換えてから、複合機１０１に送信する。詳細については、動作フローを用いて後述する。
【００５７】
マクロ自動実行データ送信部１２０は、マクロアプリのマクロ自動実行機能を制御する制御部である。マクロ白動実行データ送信部１２０は、マクロデータ格納部１２１に格納されているマクロデータを取得し、マクロアプリからのユーザの指示に基づいて、マクロデータ中の一部の設定変更項日を一時的に変更・削除行った上で、さらにマクロデータのヘッダ部とフッタ部をマクロ自動実行データ形式のヘッダとフッタに置き換えてから、マクロ実行データを複合機１０１に送信する。詳細については、動作フローを用いて後述する。
【００５８】
マクロデータ格納部１２１は、モバイル端末１０３上の不揮発性メモリ領域に、複合機１０１側が生成したマクロデータを格納する制御部である。
【００５９】
モバイル認証情報格納部１２３は、複合機１０１との認証に使用される認証情報および携帯情報を格納する。
【００６０】
（複合機１０１の操作パネル２０１の構成）
図２および図１３は、複合機１０１の操作パネル２０１の一例を示している。
【００６１】
操作パネル２０１は、液晶ディスプレイ２１２を有している。図２は、液晶ディスプレイ２１２に、後述のマクロ登録の動作の第１の例に対応した表示がなされている例である。図１３は、後述のマクロ登録の動作の第２の例に対応した表示がなされている例であり、モバイル端末１０３の認証が行われた後に表示される。
【００６２】
また、操作パネル２０１は、電源ボタン２０１（Ｐｏｗｅｒボタン）、パワーセーブボタン２０２（Ｐｏｗｅｒ  Ｓａｖｅボタン）、ストップ（ＳＴＯＰ）ボタン２０４、およびスタート（ＳＴＡＲＴ）ボタン２０５を有している。
【００６３】
また、操作パネル２０１は、テンキー２０６、ホームボタン２０７、コピーモードボタン２０８、スキャンモードボタン２０９、プリントモードボタン２１０、ＦＡＸボタン２１１、およびモバイル端末非接触検出部２２０を有している。
【００６４】
液晶ディスプレイ２１２は、タッチパネル式で画面上に表示したボタンが押下されたことを検出できるような装置構成で実現する。
【００６５】
図２および図１３における液晶ディスプレイ２１２の画面表示は、スキャンＴｏメールの機能を実行する際の設定項目の画面を表示したものである。
【００６６】
図２および図１３の画面例では、スキャンＴｏメール機能の設定として、表示部２１３によって両面スキャン＝ＯＦＦ、表示部２１４によってカラーモード＝グレースケール、表示部２１５によって用紙サイズ＝Ａ４、表示部２１６によってメールアドレス＝ｘｘｘ＠ｙｙｙ．ｃｏ．ｊｐ、表示部２１６によってスキャン解像度一２００ｄｐｉが設定されている。
【００６７】
また、図２および図１３の画面例では、表示部２１９の説明によって、設定項目の表示部左上部分に黒塗りの斜め三角が表示されている項目は、初期設定に対して別の設定値に変更されていることを意味している。
【００６８】
［１．２  動作］
図３は、モバイル端末１０３に表示されるマクロアプリの初期画面の一例を示している。図４は、モバイル端末１０３に表示されるマクロ登録時の画面の一例を示している。図５は、モバイル端末１０３に表示されるマクロ登録時の画面の一例を示している。図６は、モバイル端末１０３に表示されるマクロ実行時の画面の一例を示している。図７は、モバイル端末１０３に表示されるマクロ実行時の画面の一例を示している。図８は、モバイル端末１０３に表示されるマクロ自動実行時の画面の一例を示している。図９は、モバイル端末１０３に表示されるマクロ編集実行時の画面の一例を示している。図１０は、マクロデータの一例を示している。図１１は、マクロ実行データの一例を示している。図１２は、マクロ自動実行データの一例を示している。
以下、適宜、これらの図面を参照して動作を説明する。
【００６９】
（マクロ登録の動作の概要）
以下、モバイル端末１０３側にマクロ登録を行う動作の第１の例と第２の例とを説明する。マクロ登録の動作の第１の例は、モバイル端末１０３のユーザがマクロアプリを起動してマクロアプリのメニューからマクロ登録を選択することによってマクロ登録を行う例である。マクロ登録の動作の第２の例は、複合機１０１側がモバイル端末１０３の認証を行い、認証結果に応じて、マクロ登録を行う例である。
【００７０】
（マクロ登録の動作の第１の例）
まず、マクロ登録の動作フローの第１の例を説明する。
【００７１】
モバイル端末１０３のユーザがマクロアプリを起動すると、モバイル端末１０３は、図３の画面１−１の例のようにマクロアプリの初期画面を表示する。モバイル端末１０３は、ユーザが、マクロアプリのメニューからマクロ登録を選択すると、図４の画面１−２の表示例のように画面を切り替え、「複合機の操作に対するマクロ登録を開始します。本端末を複合機にかざしながら、複合機を操作してください。」のように利用ガイダンスを表示する。モバイル端末１０３は、マクロ登録名としては「マクロ登録１」を表示する。マクロ名は既存の登録名と同じにならないようにマクロアプリが設定し、その後ユーザが必要に応じてマクロ名を変更できるような構成になっている。この画面状態に対して、ユーザがモバイル端末１０３を、複合機１０１の操作パネル２０１上のモバイル端末非接触検出部２２０にかざすことで、図１５Ａ、図１５Ｂの動作フローがスタートする。
【００７２】
以下、図１５Ａ、図１５Ｂの動作フローに基づいて説明する。図１５Ａ、図１５Ｂの動作フローは、マクロ登録時の動作フローである。図１５Ｂは、図１５Ａから続く動作の一例を示している。図１５Ａ、図１５Ｂの左側の動作フロー（１）は、モバイル端末１０３側の動作フローであり、主としてマクロアプリ制御部１１７の動作フローである。図１５Ａ、図１５Ｂの右側の動作フロー（２）は、複合機１０１側の動作フローであり、主としてマクロデータ生成部１０９の動作フローである。
以下、図１５Ａ、図１５Ｂの動作フローの各動作ステップを説明する。
【００７３】
まず、モバイル端末１０３側の動作フローを説明する。
【００７４】
ステップＳ１０１では、モバイル端末１０３は、複合機１０１との非接触通信を確立する。
ステップＳ１０２では、モバイル端末１０３は、マクロ登録メニューが選択されていたら、マクロデータ生成部１０９に、マクロ登録モードオンを通知する。
【００７５】
ステップＳ１０３では、モバイル端末１０３は、ステップＳ２０８の動作に対応して、複合機１０１から受信したマクロデータを、マクロデータ格納部１２１へ登録する。
【００７６】
ステップＳ１０４では、モバイル端末１０３は、複合機１０１との非接触通信を切断する。
【００７７】
ステップＳ１０５では、モバイル端末１０３は、マクロ登録できたことを画面表示する。具体的には、図５の画面１−３の例のように表示する。
【００７８】
以上でモバイル端末１０３側の動作フローを終了する。
【００７９】
次に、複合機１０１側の動作フローを説明する。
【００８０】
ステップＳ２０１では、複合機１０１は、モバイル端末１０３がかざされたことを検出する。複合機１０１は、モバイル端末１０３がかざされたことを検出したら、モバイル端末１０３との非接触通信を確立する。
【００８１】
ステップＳ２０２では、複合機１０１は、マクロ登録モードオンを受信したら、マクロ登録モードに入る。さらに、複合機１０１は、初期画面に戻すと共に、テンポラリ設定値格納部１１４の設定値を、初期値格納部１１５の設定値と同じ設定に初期化する。
【００８２】
ステップＳ２０３では、複合機１０１は、操作パネル２０１からの設定変更は、テンポラリ設定値格納部１１４の設定値に反映する。
【００８３】
ステップＳ２０４では、複合機１０１は、ＳＴＡＲＴボタン２０５が押されたか否かを判定する。複合機１０１は、押されていればステップＳ２０５へと進み、押されていなければステップＳ２０３に戻る。
【００８４】
ステップＳ２０５では、複合機１０１は、マクロ登録モード中のときか否かを判定する。マクロ登録モード中であればステップＳ２０７、マクロ登録モード中でなければステップＳ２０６に進む。
【００８５】
ステップＳ２０６では、複合機１０１は、操作パネル２０１の設定項目に従って、対応するＭＦＰ機能を実行し、ステップＳ２１３へ移行する。
【００８６】
ステップＳ２０７では、複合機１０１は、初期値格納部１１５に格納されている設定値と、テンポラリ設定値格納部１１４に格納されている設定値とを比較し、設定変更が有った項日に基づいて、マクロデータを生成する。
【００８７】
ステップＳ２０８では、複合機１０１は、生成したマクロデータを、モバイル端末１０３へ送信する。
【００８８】
ステップＳ２０９では、複合機１０１は、操作パネル２０１の設定項目に従って、対応するＭＦＰ機能を実行する。
【００８９】
ステップＳ２１０では、複合機１０１は、モバイル端末１０３がかざされなくなったことを検出する。
【００９０】
ステップＳ２１１では、複合機１０１は、モバイル端末１０３との非接触通信を切断する。
【００９１】
ステップＳ２１２では、複合機１０１は、マクロ登録モードから抜ける。
【００９２】
ステップＳ２１３では、複合機１０１は、所定時間の経過または、ホームボタン２０７が押下されたら、初期画面に戻ると共に、テンポラリ設定値格納部１１４の設定値を、初期値格納部１１５の設定値と同じ設定に初期化する。
【００９３】
以上で複合機１０１側の動作フローを終了する。
【００９４】
ここで、図１０のマクロデータの例の詳細について説明する。図１０のマクロデータは、操作パネル２０１における液晶ディスプレイ２１２の表示が、ちょうど図２に示すような設定変更状態のときに、ステップＳ２０７によって生成されるマクロデータに対応している。
【００９５】
マクロデータは、データ構造のヘッダ部（データの先頭部分）は、例えば「ＰａｎｅｌＳｅｔｔｉｎｇＭａｃｒｏＢｅｇｉｎ｛」の文字列から始まるように構成し、データ構造のフッタ部（データの終了部分）は、例えば「｝ＰａｎｅｌＳｅｔｔｉｎｇＭａｃｒｏＥｎｄ」のような文字列で終わるようなデータ構造として設計している。また、データ構造の内部については、各設定項目に対して初期値以外の別の設定に変更が有った項目についてだけ、設定変更内容を指示する設定変更コマンドを各行に入れている。具体的には、マクロ名＝””の行、ＭＦＰ機能＝”ＳｃａｎＴｏ”、カラーモード＝”グレースケール”、用紙サイズ＝”Ａ４”、メールアドレス＝”ｘｘｘ＠ｙｙｙ．ｃｏ．ｊｐ”を格納する。
【００９６】
図１０のマクロ名の行については、マクロ登録部１１８が図１０のマクロデータをマクロデータ格納部１２１に格納するときに、マクロアプリによって決められたマクロアプリ名を指定すると共に、該マクロデータをマクロデータ格納部１２１に格納する。
【００９７】
なお、両面スキャン＝ＯＦＦ、スキャン解像度＝２００ｄｐｉの行を追加していない理由は、初期値のまま設定変更がなされていないからであり、後で説明するマクロ実行、あるいは、マクロ自動実行のときに、これらの行を追加したとしても初期値のまま変わらないから、登録が不要であるためである。
【００９８】
（マクロ登録の動作の第２の例）
次に、マクロ登録の動作フローの第２の例を説明する。
【００９９】
図１６Ａ、図１６Ｂ、図１７の動作フローは、マクロ登録時の動作フローの第２の例である。図１６Ｂは、図１６Ａから続く動作の一例を示している。図１７は、図１６Ｂから続く動作の一例を示している。図１６Ａ、図１６Ｂ、図１７の左側の動作フロー（１）は、モバイル端末１０３側の動作フローであり、主としてマクロアプリ制御部１１７の動作フローである。図１６Ａ、図１６Ｂ、図１７の右側の動作フロー（２）は、複合機１０１側の動作フローであり、主としてマクロデータ生成部１０９の動作フローである。
以下、図１６Ａ、図１６Ｂ、図１７の動作フローの各動作ステップを説明する。
【０１００】
まず、モバイル端末１０３側の動作フローを説明する。
【０１０１】
ステップＳ７０１では、モバイル端末１０３は、複合機１０１との非接触通信を確立する。
【０１０２】
ステップＳ７０２では、モバイル端末１０３は、複合機１０１からの認証要求に応じて、認証情報と携帯情報とを送信し、複合機１０１にログインする。
【０１０３】
ステップＳ７０３では、モバイル端末１０３は、画面に、例えば図１４の画面５に示したように「操作マクロを登録しますか？」を表示する。
【０１０４】
ステップＳ７０４では、モバイル端末１０３は、例えば図１４の画面５に示した「操作マクロを登録しますか？」の表示に対するユーザのパネル操作の結果（ＯＫまたはＮＧ）を、複合機１０１に通知する。
【０１０５】
ステップＳ７０５では、モバイル端末１０３は、ステップＳ８１４の動作に対応して、複合機１０１から受信したマクロデータを、マクロデータ格納部１２１へ登録する。
【０１０６】
ステップＳ７０６では、モバイル端末１０３は、複合機１０１との非接触通信を切断する。
【０１０７】
ステップＳ７０７では、モバイル端末１０３は、マクロ登録できたことを画面表示する。具体的には、図５の画面１−３の例のように表示する。
【０１０８】
以上でモバイル端末１０３側の動作フローを終了する。
【０１０９】
次に、複合機１０１側の動作フローを説明する。
【０１１０】
ステップＳ８０１では、複合機１０１は、モバイル端末１０３がかざされたことを検出する。複合機１０１は、モバイル端末１０３がかざされたことを検出したら、モバイル端末１０３との非接触通信を確立する。
【０１１１】
ステップＳ８０２では、複合機１０１は、モバイル端末１０３側に認証要求し、モバイル端末１０３側からの認証情報に基づいて、認証する。認証は、モバイル認証制御部１２２によって行われる。
【０１１２】
ステップＳ８０３では、複合機１０１は、モバイル端末１０３からのログインがなされたか否かを判断する。複合機１０１は、モバイル端末１０３からのログインがなされたらステップＳ８０５へと進み、操作ログ取りモードに入る。
【０１１３】
複合機１０１は、モバイル端末１０３からのログインがなされていなければ、ステップＳ８０４へと進み、操作ログ取りモードに入らない。
【０１１４】
ステップＳ８０６では、複合機１０１は、初期画面を表示すると共に、テンポラリ設定値格納部１１４の設定値を、初期値格納部１１５の設定値と同じ設定に初期化する。
【０１１５】
ステップＳ８０７では、複合機１０１は、操作パネル２０１からの設定変更は、テンポラリ設定値格納部１１４の設定値に反映する。
【０１１６】
ステップＳ８０８では、複合機１０１は、ＳＴＡＲＴボタン２０５が押されたか否かを判定する。複合機１０１は、押されていればステップＳ８０９へと進み、押されていなければステップＳ８０７に戻る。
【０１１７】
ステップＳ８０９では、複合機１０１は、操作ログ取りモード中のときか否かを判定する。操作ログ取りモード中であればステップＳ８１１、操作ログ取りモード中でなければステップＳ８１０に進む。
【０１１８】
ステップＳ８１０では、複合機１０１は、操作パネル２０１の設定項目に従って、対応するＭＦＰ機能を実行し、ステップＳ８１８へ移行する。
【０１１９】
ステップＳ８１１では、複合機１０１は、操作パネル２０１に、例えば図１３に示したように「操作マクロをモバイル端末に登録しますか？」と表示する。
【０１２０】
ステップＳ８１２では、複合機１０１は、例えば図１３に示したように操作パネル２０１で「操作マクロをモバイル端末に登録しますか？」と表示された状態でユーザがＯＫを選択したか、またはモバイル端末１０３側で例えば図１４の画面５に示した「操作マクロを登録しますか？」と表示された状態でユーザがＯＫを選択したか否かを判定する。複合機１０１は、ユーザがＯＫを選択した場合にはステップＳ８１２Ａ、ユーザがＯＫを選択しなかった場合にはステップＳ８１０に進む。
【０１２１】
ステップＳ８１２Ａでは、複合機１０１は、マクロ登録モードに入る。
【０１２２】
ステップＳ８１３では、複合機１０１は、初期値格納部１１５に格納されている設定値と、テンポラリ設定値格納部１１４に格納されている設定値とを比較し、設定変更が有った項日に基づいて、マクロデータを生成する。
【０１２３】
ステップＳ８１４では、複合機１０１は、生成したマクロデータを、モバイル端末１０３へ送信する。
【０１２４】
ステップＳ８１５では、複合機１０１は、操作パネル２０１の設定項目に従って、対応するＭＦＰ機能を実行する。
【０１２５】
ステップＳ８１６では、複合機１０１は、モバイル端末１０３がかざされなくなったことを検出する。
【０１２６】
ステップＳ８１７では、複合機１０１は、モバイル端末１０３との非接触通信を切断する。
【０１２７】
ステップＳ８１７Ａでは、複合機１０１は、マクロ登録モードから抜ける。
【０１２８】
ステップＳ８１８では、複合機１０１は、所定時間の経過または、ホームボタン２０７が押下されたら、初期画面に戻ると共に、テンポラリ設定値格納部１１４の設定値を、初期値格納部１１５の設定値と同じ設定に初期化する。
【０１２９】
以上で複合機１０１側の動作フローを終了する。
【０１３０】
なお、図１６Ａ、図１６Ｂ、図１７の動作フローでは、複合機１０１は、モバイル端末１０３を複合機１０１にかざしたままの状態でマクロ登録の動作を行う場合を例にしたが、ステップＳ８０２での認証が成立した後は、モバイル端末１０３を複合機１０１から離した状態にしてもよい。モバイル端末１０３を複合機１０１から離した状態であっても、認証に基づく無線通信手段でモバイル端末１０３と複合機１０１との間で通信を行うことが可能である。この場合にも、無線通信手段を介してモバイル端末１０３と複合機１０１との間でマクロ登録の動作を行うことが可能である。
【０１３１】
また、認証モバイル端末１０３で認証されたか否かの判断は、モバイル固有情報により認証を行った場合や、ＮＦＣ（近距離無線通信）経由で認証を行った場合等があるが、それらに限らない。
【０１３２】
（マクロ実行の動作）
次に、マクロ実行の動作フローを説明する。
【０１３３】
モバイル端末１０３のユーザがマクロアプリを起動し、図３の画面１−１からマクロ実行メニューを選択すると、モバイル端末１０３は、図６の画面２−１あるいは図７の画面２−２の例に示すように、マクロデータ格納部１２１に登録済みのマクロの一覧を画面表示する。モバイル端末１０３は、ユーザによって利用したいマクロが選択されると、該当マクロ名を太枠で強調表示する。また画面後方には「マクロを選択し、複合機にかざして下さい。」とガイダンス表示する。なお、このタイミングで、ユーザがマクロ編集実行ボタンを選択することもできるが、利便性を向上させる付加機能であるため、詳細については後に説明する。
【０１３４】
ここで、ユーザがこの画面表示状態の携帯端末１０３を、複合機１０１の操作パネル２０１上のモバイル端末非接触検出部２２０にかざすことで、図１８Ａ、図１８Ｂの動作フローがスタートする。
【０１３５】
以下、図１８Ａ、図１８Ｂの動作フローに基づいて説明する。図１８Ａ、図１８Ｂの動作フローは、マクロ実行時の動作フローである。図１８Ｂは、図１８Ａから続く動作の一例を示している。図１８Ａ、図１８Ｂの左側の動作フロー（１）は、モバイル端末１０３側の動作フローであり、主としてマクロアプリ制御部１１７の動作フローである。図１８Ａ、図１８Ｂの右側の動作フロー（２）は、複合機１０１側の動作フローであり、主としてマクロ実行制御部１０６の動作フローである。
以下、図１８Ａ、図１８Ｂの動作フローの各動作ステップを説明する。
【０１３６】
まず、モバイル端末１０３側の動作フローを説明する。
【０１３７】
ステップＳ３０１では、モバイル端末１０３は、複合機１０１との非接触通信を確立する。
ステップＳ３０２では、モバイル端末１０３は、マクロ実行メニューが選択されているか否かを判断する。モバイル端末１０３は、選択されていれば、ステップＳ３０３へ移行し、選択されていなければ動作フローを終了する。
【０１３８】
ステップＳ３０３では、モバイル端末１０３は、マクロデータ格納部１２１から、選択されたマクロデータを取り出し、マクロデータのヘッダ部とフッタ部を、マクロ実行データ用のデータ形式に置き換えてから、複合機１０１に送信する。
【０１３９】
以上でモバイル端末１０３側の動作フローを終了する。
【０１４０】
次に、複合機１０１側の動作フローを説明する。
【０１４１】
ステップＳ４０１では、複合機１０１は、モバイル端末１０３がかざされたことを検出する。
ステップＳ４０２では、複合機１０１は、モバイル端末１０３との非接触通信を確立する。
【０１４２】
ステップＳ４０３では、複合機１０１は、マクロ実行データを、モバイル端末１０３側から受信する。
ステップＳ４０４では、複合機１０１は、テンポラリ設定値格納部１１４の設定値を、初期値格納部１１５の設定値と同じ設定に初期化する。
【０１４３】
ステップＳ４０５では、複合機１０１は、マクロ実行データに含まれる設定変更を、テンポラリ設定値格納部１１４の設定値に反映する。
【０１４４】
ステップＳ４０６では、複合機１０１は、操作パネル２０１から、その他の設定変更があれば受け付けて、テンポラリ設定値格納部１１４へ設定変更を反映する。
【０１４５】
ステップＳ４０７では、複合機１０１は、ＳＴＡＲＴボタン２０５が押された否かを判定する。複合機１０１は、押された判定した場合には、ステップＳ４０８へ進み、押されていないと判定した場合には、ステップＳ４０６へ戻る。
【０１４６】
ステップＳ４０８では、複合機１０１は、操作パネル２０１の設定項目に従って、対応するＭＦＰ機能を実行する。
【０１４７】
ステップＳ４０９では、複合機１０１は、所定時間の経過または、ホームボタン２０７が押下されたら、初期画面に戻ると共に、テンポラリ設定値格納部１１４の設定値を、初期値格納部１１５の設定値と同じ設定に初期化する。
【０１４８】
以上で複合機１０１側の動作フローを終了する。
【０１４９】
ここで、図１１のマクロ実行データの例の詳細について説明する。図１１のマクロ実行データは、マクロアプリから選択されたマクロデータが図１０の例のような設定であった場合に、ステップＳ３０３において、マクロ実行データ送信部１１９が生成するマクロ実行データの例である。
【０１５０】
図１１のマクロ実行データの例によれば、図１０のマクロデータに基づいて、データ構造のヘッダ部を「ＭａｃｒｏＪｏｂＢｅｇｉｎ｛」の文字列、フッタ部に「｝ＭａｃｒｏＪｏｂＥｎｄ」の文字列に置き換えたデータを一時的に生成して、複合機１０１側に図１１のようなマクロ実行データを送信する。このヘッダ、フッタの文字列によって、マクロ実行制御部１０６は、マクロ実行がモバイル端末１０３側から要求されたことを検出できるような仕組みである。
【０１５１】
（マクロ自動実行の動作）
次に、マクロ自動実行の動作フローを説明する。
【０１５２】
モバイル端末１０３のユーザがマクロアプリを起動し、図３の画面１−１からマクロ白動実行メニューを選択すると、モバイル端末１０３は、図８の画面３の例に示すように、マクロデータ格納部１２１に登録済みのマクロの一覧を画面表示する。ユーザが利用したいマクロを選択すると、モバイル端末１０３は、該当マクロ名を太枠で強調表示する。また画面後方には「マクロを選択し、複合機にかざして下さい。ＳＴＡＲＴキーの自動実行まで行います。」とガイダンス表示する。このタイミングで、ユーザがマクロ編集実行ボタン３０１を選択することもできるが、利便性を向上させる付加機能であるため、詳細については後に説明する。
【０１５３】
ここで、ユーザがこの画面表示状態の携帯端末１０３を、複合機１０１の操作パネル２０１上のモバイル端末非接触検出部２２０にかざすことで、図１９Ａ、図１９Ｂの動作フローがスタートする。
【０１５４】
以下、図１９Ａ、図１９Ｂの動作フローに基づいて説明する。図１９Ａ、図１９Ｂの動作フローは、マクロ自動実行時の動作フローである。図１９Ｂは、図１９Ａから続く動作の一例を示している。図１９Ａ、図１９Ｂの左側の動作フロー（１）は、モバイル端末１０３側の動作フローであり、主としてマクロアプリ制御部１１７の動作フローである。図１９Ａ、図１９Ｂの右側の動作フロー（２）は、複合機１０１側の動作フローであり、主としてマクロ自動実行制御部１０７の動作フローである。
以下、図１９Ａ、図１９Ｂの動作フローの各動作ステップを説明する。
【０１５５】
まず、モバイル端末１０３側の動作フローを説明する。
【０１５６】
ステップＳ５０１では、モバイル端末１０３は、複合機１０１との非接触通信を確立する。
【０１５７】
ステップＳ５０２では、モバイル端末１０３は、マクロ白動実行メニューが選択されているか否かを判断する。モバイル端末１０３は、選択されていれば、ステップＳ５０３へ移行し、選択されていなければ動作フローを終了する。
【０１５８】
ステップＳ５０３では、モバイル端末１０３は、マクロデータ格納部１２１から、選択されたマクロデータを取り出し、マクロデータのヘッダ部とフッタ部を、マクロ自動実行データ用のデータ形式に置き換えてから、複合機１０１に送信する。
【０１５９】
以上でモバイル端末１０３側の動作フローを終了する。
【０１６０】
次に、複合機１０１側の動作フローを説明する。
【０１６１】
ステップＳ６０１では、複合機１０１は、モバイル端末１０３がかざされたことを検出する。
【０１６２】
ステップＳ６０２では、複合機１０１は、モバイル端末１０３との非接触通信を確立する。
【０１６３】
ステップＳ６０３では、複合機１０１は、マクロ自動実行データを、モバイル端末１０３側から受信する。
【０１６４】
ステップＳ６０４では、複合機１０１は、テンポラリ設定値格納部１１４の設定値を、初期値格納部１１５の設定値と同じ設定に初期化する。
【０１６５】
ステップＳ６０５では、複合機１０１は、マクロ自動実行データに含まれる設定変更を、テンポラリ設定値格納部１１４の設定値に反映する。
【０１６６】
ステップＳ６０６では、複合機１０１は、ＳＴＡＲＴボタン２０５を自動で押下する。
【０１６７】
ステップＳ６０７では、複合機１０１は、操作パネル２０１の設定項目に従って、対応するＭＦＰ機能を実行する。
【０１６８】
ステップＳ６０８では、複合機１０１は、所定時間の経過または、ホームボタン２０７が押下されたら、初期画面に戻ると共に、テンポラリ設定値格納部１１４の設定値を、初期値格納部１１５の設定値と同じ設定に初期化する。
【０１６９】
以上で複合機１０１側の動作フローを終了する。
【０１７０】
ここで、図１２のマクロ自動実行データの例の詳細について説明する。図１２のマクロ自動実行データは、マクロアプリから選択されたマクロデータが図１０の例のような設定であった場合に、ステップＳ５０３において、マクロ自動実行データ送信部１１９が生成するマクロ白動実行データの例である。
【０１７１】
図１２のマクロ自動実行データの例によれば、図１０のマクロデータに基づいて、データ構造のヘッダ部を「ＡｕｔｏＭａｃｒｏＪｏｂＢｅｇｉｎ｛」の文字列、フッタ部に「｝ＡｕｔｏＭａｃｒｏＪｏｂＥｎｄ」の文字列に置き換えたデータを一時的に生成して、複合機１０１側に図１２のようなマクロ自動実行データを送信する。このヘッダ、フッタの文字列によって、マクロ自動実行制御部１０７は、マクロ自動実行がモバイル端末１０３側から要求されたことを検出できるような仕組みである。
【０１７２】
（マクロ編集実行の動作）
最後に、図９の画面４のマクロ編集実行の画面例について説明する。
【０１７３】
マクロ編集実行画面は、マクロアプリから選択したマクロに対して、マクロ中に含まれる個別の設定変更コマンドに対して、一時的に使用する・使用しないを切り替えたり、設定変更内容を別の設定値に一時的に切り替えたり、不要な設定変更コマンドを削除したりし、その編集結果のマクロデータに対してマクロ実行データ形式のヘッダ・フッタ、あるいは、マクロ自動実行データ形式のヘッダ・フッタに置き換えて、マクロ実行データ・マクロ自動実行データを複合機１０１側に送信できるようにして提供する画面である。画面後方には「必要に応じて設定変更してから、複合機にかざして下さい。」の表示ガイダンスを表示する。
【０１７４】
なお、「変更を保存」ボタンを押下した場合は、マクロデータ格納部１２１に登録されている元々選択したマクロデータを上書き保存する。戻るキーを押した場合、複合機１０１へのデータ送信は行わずに元の画面に戻る。
【０１７５】
また、マクロ編集した状態でモバイル端末１０３を、モバイル端末非接触検出部２２０にかざした場合は、そのときのマクロアプリの動作モードに応じて、マクロ実行データあるいはマクロ自動実行データを生成して複合機１０１へ送信する動作として実装する。
【０１７６】
また、実行ボタン３０５を押下し、モバイル端末非接触検出部２２０にかざした場合にも、マクロ実行データあるいはマクロ自動実行データを生成して複合機１０１へ送信する。
【０１７７】
このようなマクロ編集実行の機能によって、マクロ実行におけるユーザの利便性がさらに向上する。
【０１７８】
［１．３  効果］
以上のように、本実施の形態によれば、複合機１０１が、認証対象がモバイル端末１０３であるか否かを判断し、その判断結果に応じて、操作パネル２０１を介して入力された情報を認証対象に登録させるか否かを選択可能にしたので、認証対象に応じた適切な情報処理を行うことができる。
【０１７９】
また、本実施の形態によれば、マクロデータをモバイル端末１０３側に登録するようにしたので、同じマクロをその他の場所のその他の装置で使い回しできるようになり、ユーザの利便性が向上する。
【０１８０】
＜２．その他の実施の形態＞
本発明による技術は、上記実施の形態の説明に限定されず種々の変形実施が可能である。
【０１８１】
上記実施の形態では、情報処理装置が複合機１０１である場合を例に説明したが、情報処理装置が複合機１０１以外の装置であってもよい。
【０１８２】
マクロデータ、マクロ実行データ、マクロ自動実行データのデータ形式は、以上の実施形態で説明したデータ形式以外であっても、同等の情報を記録・読み出しできるようなデータ構造であれば、その他のデータ構造で構成してもよい。
【０１８３】
マクロアプリの画面は、以上で説明した画面例と同等の切り替えを提供できるような画面レイアウトであれば、モバイル端末１０３の画面表示領域のサイズや画面表示ライブラリの事情に合わせて、以上の実施形態で説明した例とは異なる画面レイアウトであってもよい。
【符号の説明】
【０１８４】
１０１…複合機（情報処理装置）、１０３…モバイル端末（携帯端末）、１０４…近距離無線通信制御部（入力情報送信部、登録情報受信部）、１０６…マクロ実行制御部（設定適応部）、１０７…マクロ自動実行制御部（設定適応部）、１０８…操作パネル制御部（制御部）、１０９…マクロデータ生成部（入力情報送信部）、１１４…テンポラリ設定値格納部（情報記憶部）、１１７…マクロアプリ制御部（登録情報編集部）、１１８…マクロ登録部（情報登録部）、１１９…マクロ実行データ送信部（登録情報送信部）、１２０…マクロ自動実行データ送信部（登録情報送信部）、１２１…マクロデータ格納部（情報登録部）、１２２…モバイル認証制御部（認証部）、２０１…操作パネル（入力操作部）。
【図１】
2018207211.tif 000003
【図２】
2018207211.tif 000004
【図３】
2018207211.tif 000005
【図４】
2018207211.tif 000006
【図５】
2018207211.tif 000007
【図６】
2018207211.tif 000008
【図７】
2018207211.tif 000009
【図８】
2018207211.tif 000010
【図９】
2018207211.tif 000011
【図１０】
2018207211.tif 000012
【図１１】
2018207211.tif 000013
【図１２】
2018207211.tif 000014
【図１３】
2018207211.tif 000015
【図１４】
2018207211.tif 000016
【図１５Ａ】
2018207211.tif 000017
【図１５Ｂ】
2018207211.tif 000018
【図１６Ａ】
2018207211.tif 000019
【図１６Ｂ】
2018207211.tif 000020
【図１７】
2018207211.tif 000021
【図１８Ａ】
2018207211.tif 000022
【図１８Ｂ】
2018207211.tif 000023
【図１９Ａ】
2018207211.tif 000024
【図１９Ｂ】
2018207211.tif 000025